(57)【要約】【課題】非使用時には２枚の蓋板を入浴の邪魔にならないような立て掛け収納とすると共に、従来のような壁面からフックを突出させる必要がなく、安全性及び外観性を向上させること。【解決手段】浴室で使用する組蓋仕様の風呂蓋１であって、非使用時には壁面５に沿わせた縦一列の立て掛け収納が可能な２枚の蓋板２,３で構成され、立て掛け収納の際に上側に配置される一方の蓋板２のみに、壁面５に対して着脱自在に吸着可能な吸着結合手段６を設けると共に下側に配置される他方の蓋板３を押さえて保持するための押さえ形状部７を一体形成した風呂蓋１である。【選択図】図１
2009125497.tif 000002
【特許請求の範囲】
【請求項１】
浴室で使用する組蓋仕様の風呂蓋であって、非使用時には壁面に沿わせた縦一列の立て掛け収納が可能な２枚の蓋板で構成され、立て掛け収納の際に上側に配置される一方の蓋板のみに、壁面に対して着脱自在に吸着可能な吸着結合手段を設けると共に下側に配置される他方の蓋板を押さえて保持するための押さえ形状部を一体形成したことを特徴とする風呂蓋。
【請求項２】
上記押さえ形状部が把手を兼ねる形状に形成されていることを特徴とする請求項１記載の風呂蓋。
【発明の詳細な説明】
【技術分野】
【０００１】
本発明は、浴室で使用する組蓋仕様の風呂蓋に関するものである。
【背景技術】
【０００２】
従来から、組蓋仕様の風呂蓋５０を折り畳み可能な２枚の蓋板５１,５２で構成し、非使用時には図６のように２枚の蓋板５１,５２を折り畳んで壁面５に立て掛けるようにしている。このとき、蓋板５１,５２が倒れこまないように、壁面５から突出して矢印方向Ｂに回転自在なフック５３を外側の蓋板５２に引っ掛けるようにした構成が知られている（例えば、特許文献１参照）。
【０００３】
しかしながら上記特許文献１に見られる従来例では、２枚の蓋板５１,５２を折り重ねた状態で壁面５に立て掛けるため、蓋板５１,５２の枚数だけ壁面５からの飛び出し寸法Ｄが大きくなり、入浴時に邪魔になるという問題があった。しかも、壁面５から突出するフック５３の長さを蓋板５１,５２の厚み分だけ長くする必要があり、このため入浴時に突出長さの長いフック５３に引っ掛かったり、浴室の外観が見苦しくなるといった問題もあった。
【特許文献１】特開２０００−３０８５９１号公報
【発明の開示】
【発明が解決しようとする課題】
【０００４】
本発明は上記の従来の問題点に鑑みて発明したものであって、非使用時には２枚の蓋板を入浴の邪魔にならないような立て掛け収納とすることができ、しかも、従来のような壁面からフックを突出させる必要がなくなり、安全性及び外観性を向上させることができる風呂蓋を提供することを課題とするものである。
【課題を解決するための手段】
【０００５】
前記課題を解決するために本発明は、浴室で使用する組蓋仕様の風呂蓋であって、非使用時には壁面５に沿わせた縦一列の立て掛け収納が可能な２枚の蓋板２,３で構成され、立て掛け収納の際に上側に配置される一方の蓋板２のみに、壁面５に対して着脱自在に吸着可能な吸着結合手段６を設けると共に下側に配置される他方の蓋板３を押さえて保持するための押さえ形状部７を一体形成したことを特徴としている。
【０００６】
このような構成とすることで、立て掛け収納の際には上側に配置される一方の蓋板２に設けた吸着結合手段６により該一方の蓋板２が壁面５に吸着保持されると共に、該一方の蓋板２に設けた押さえ形状部７で下側に配置される他方の蓋板３を押さえ込むので、他方の蓋板３が壁面５と押さえ形状部７とで前後から挟みつけられた状態となり、倒れ込みを防止できるようになる。しかもこの立て掛け収納状態では、壁面５からの蓋板２,３の飛び出し寸法Ａは蓋板１枚分の厚みで済むので、従来のような２枚分の飛び出し寸法Ｄ（＞Ａ）よりも小さく抑えることができるので、入浴時に蓋板２,３が邪魔になることがなく、また壁面５から従来のようなフック５３（図６）を別途突出させる必要がないため、フック５３による引っ掛かりや外観性低下を防止できるようになる。
【０００７】
また、上記押さえ形状部７が把手を兼ねる形状に形成されているのが好ましく、この場合、例えば使用状態にある蓋板２,３を浴槽４から取り外す際に、押さえ形状部７に手をかけて掴むことで一方の蓋板２を取り外しやすくなり、また一方の蓋板２を取り外した後は他方の蓋板２の端部に手がかかりやすくなるため、他方の蓋板３の取り外しも容易となる。
【発明の効果】
【０００８】
本発明は、立て掛け収納状態で、吸着結合手段が設けられた一方の蓋板を上側に配置し、該一方の蓋板に設けた押さえ形状部により下側に配置される他方の蓋板を押さえ込むことにより、非使用時には２枚の蓋板を入浴の邪魔にならないような立て掛け収納とすることができ、しかも、従来のような壁面からフックを突出させる必要がなくなり、安全性及び外観性を向上させることができるものである。
【発明を実施するための最良の形態】
【０００９】
以下、本発明を添付図面に示す実施形態に基いて説明する。
【００１０】
本実施形態の浴室で使用する組蓋仕様の風呂蓋１は、互いに分離した２枚の蓋板２,３で構成されており、図３に示す使用時には、横一列に並べて浴槽４の上面を施蓋できるものであり、一方、図１に示す非使用時には、浴室の壁面５に沿わせて縦一列に立て掛け収納できるものである。
【００１１】
ここで、立て掛け収納の際に上側に配置される一方の蓋板２には、壁面５に対して着脱自在に吸着可能な吸着結合手段６が設けられている。本例の吸着結合手段６は、一方の蓋板２の内面の複数個所（本例では３箇所）に取り付けた磁石６ａで構成されており、この磁石６ａが壁面５側に設けられる磁石或いは金属板等の磁性体（図示せず）に磁気吸引されるようになっている。なお、吸着結合手段６は磁石６ａに限らず、例えば図２に示すように、壁面５に対して吸着により固定される吸盤６ｂを用いてもよいものである。
【００１２】
さらに上記一方の蓋板２の端部２ｂには、下側に配置される他方の蓋板３を押さえて保持するための押さえ形状部７が一体形成されている。この押さえ形状部７は、磁石６ａを持たない他方の蓋板３を倒れないように押さえ込むためのものであり、本例では押さえ形状部７が把手を兼ねる形状に形成されている。つまり、押さえ形状部７は、一方の蓋板２の端部２ｂからその全長にわたって垂直に立ち上がる立ち上がり部７ａと、立ち上がり部７ａの先端から該蓋板２と平行に且つ蓋板２から離れる方向Ｅに向けて突出する突出部７ｂとが断面Ｌ字状に形成されている。ここでは、押さえ形状部７の立ち上がり高さＡ（図１）を他方の蓋板３の厚みと略等しくしており、立て掛け収納状態では両蓋板２,３の内面が面一に揃った状態で突出部７ｂが他方の蓋板３の端部３ａの外面に当たるようになっている。本例の押さえ形状部７は、他方の蓋板３を押さえる機能に加えて、手がかりとなる把手としても機能する。
【００１３】
なお、立て掛け収納の際に下側に配置される他方の蓋板３には、磁石６ａ等の吸着結合手段６も押さえ形状部７も設けられておらず、この点を除いて一方の蓋板２と同じ大きさ、形状、厚み仕様とされる。
【００１４】
しかして、使わないときは図１あるいは図２に示すように、２枚の蓋板２,３を壁面５に沿わせて縦一列に立て掛け収納する。このとき上側に配置される一方の蓋板２に設けた磁石６ａ或いは吸盤６ｂ等により該一方の蓋板２が壁面５に吸着保持されると共に、該一方の蓋板２の上向きとなる端部２ａとは反対側の下向きとなる端部２ｂに設けた押さえ形状部７で下側に配置される他方の蓋板３の端部３ａが押さえ込まれるので、他方の蓋板３の端部３ａが壁面５と押さえ形状部７とで前後から挟みつけられて倒れ込みが防がれる。なお他方の蓋板３の端部３ｂは壁面５に近い浴槽４周辺スペースにて支持される。
【００１５】
ここで、上記立て掛け収納状態では、壁面５からの蓋板２,３の飛び出し寸法Ａは蓋板１枚分で済むので、従来のような２枚分の飛び出し寸法Ｄよりも小さく抑えることができるので、入浴時に蓋板２,３が邪魔になることがなく、また壁面５には従来のようなフック５３（図６）を別途突設させる必要がないため、フック５３による引っ掛かりや外観性低下を防止でき、安全性が向上すると共に、壁面５をすっきりとした外観にできる利点がある。
【００１６】
さらに本例では、押さえ形状部７が把手を兼ねる断面Ｌ字形状をしているので、使用状態（図３）にある蓋板２を浴槽４から取り外す際には、この押さえ形状部７に手をかけて掴むことができ、これにより一方の蓋板２が取り外しやすくなり、また一方の蓋板２を取り外した後は他方の蓋板２の端部に手がかかりやすくなるため、他方の蓋板３の取り外しも容易となる。またこのとき図３のように、押さえ形状部７の突出部７ｂを外側に向けておけば、手がかりとして一層利用しやすくなる。
【００１７】
図４は他の実施形態であり、押さえ形状部７の立ち上がり部７ａの中央側の上面に切込み８ａを形成することで、立ち上がり部７ａの中央部分を手がかり形状部８として利用できるようにしたものであり、この場合、一方の蓋板２を浴槽４の上にどの向きに設置した場合でも、手がかり形状部８に手がかかりやすくなる。つまり、押さえ形状部７の突出方向Ｅと反対方向Ｆに向けて手がかり形状部８が突出した形状となっているため、どちらかを手がかりとして有効に利用できるようになり、使い勝手が一層良くなる。
【００１８】
図５は更に他の実施形態であり、把手を兼ねるトレイ形状部９を一体形成した場合の一例を示している。本例のトレイ形状部９は、押さえ形状部７の立ち上がり部７ａの中央上面側に一体に設けられるもので、立ち上がり部７ａに連設される底板９ａと、底板９ａの左右両側から立ち上がる両側壁９ｂ,９ｂと、前板９ｃとを備えた有底箱形状に形成されている。従って、一方の蓋板２を浴槽４の上にどの向きに設置した場合でも、トレイ形状部９に手をかけやすくなる。そのうえ、非使用時に立て掛け収納した状態（図５の状態）では、上方に開口した有底箱形状のトレイ形状部９に小物を収納できるものであり、使用時と非使用時の両方において風呂蓋１の取り扱い性がより向上するものである。なおトレイ形状部９は必ずしも押さえ形状部７と一体に設けられている必要はなく、例えば、立て掛け収納状態で壁面５とは反対側の蓋板２表面に取り付けられていればよいものであり、トレイ形状部９の位置は適宜変更自在である。
【図面の簡単な説明】
【００１９】
【図１】本発明の一実施形態であり、風呂蓋を構成する２枚の蓋板を立て掛け収納した状態の説明図である。
【図２】同上の一方の蓋板に設けられる吸着結合手段として吸盤を用いた場合の説明図である。
【図３】同上の２枚の蓋板を用いて浴槽の上面を施蓋した状態の説明図である。
【図４】他の実施形態の説明図である。
【図５】更に他の実施形態の説明図である。
【図６】従来例の説明図である。
【符号の説明】
【００２０】
１  風呂蓋
２  一方の蓋板
３  他方の蓋板
４  浴槽
５  壁面
６  吸着結合手段
７  押さえ形状部
８  手がかり形状部
９  トレイ形状部
【図１】
2009125497.tif 000003
【図２】
2009125497.tif 000004
【図３】
2009125497.tif 000005
【図４】
2009125497.tif 000006
【図５】
2009125497.tif 000007
【図６】
2009125497.tif 000008